(57)【特許請求の範囲】
【請求項１】
携帯電話器におけるロッドアンテナを傾斜して引き出すためのロッドアンテナガイド口の構造であって、該ガイド口は上記ロッドアンテナを通挿する上部筒孔と下部筒孔を有し、下部筒孔はロッドアンテナが引き出されたときにロッドアンテナの下端部一側面を押圧して片寄せする手段を形成し、該下部筒孔の片寄せにて上記上部筒孔を通し外部へ引き出すロッドアンテナを傾かせる構成とした携帯電話器におけるロッドアンテナガイド口の構造において、上記上部筒孔を形成する周方向に間隔をおいて複数条の割り溝を形成して複数の弾性接触片に分割した導電性バネ筒を有し、上記導電性バネ筒の外周面には導電性バネ筒に追随して弾性変位（拡径と縮径）する補助割りバネ筒を外嵌めし、該割り溝によって分割された各弾性接触片の内面に導電性バネ筒の内径を制限する接触用突部を形成して環状に配し、該接触用突部にて画成する内接円の直径を上記ロッドアンテナ下端部の直径より小径にすると共に、該接触用突部の頂部下面を下端へ向け拡径する傾斜面にし、直立状態に収納されたロッドアンテナの上部接触ロッド部の外周面に上記各接触用突部が環状に加圧接触して上記ロッドアンテナと配線回路基板との電気的接触を図り、更に傾斜して引き出されたロッドアンテナの下部接触ロッド部の外周面に上記接触用突部が環状に加圧接触すると共に、上記傾斜面が傾斜して引き出されたロッドアンテナの下部接触ロッド部の一側面に接触して上記ロッドアンテナと配線回路基板との電気的接触を図ると共に、上記接触用突部の加圧接触に伴う弾性接触片の弾性変位により上記ロッドアンテナの傾きを許容する構成としたことを特徴とする携帯電話器におけるロッドアンテナガイド口の構造。
【発明の詳細な説明】
【０００１】
【発明の属する技術分野】
本発明は携帯電話のロッドアンテナを使用者の頭部側面から離れる方向へ傾斜して引き出すロッドアンテナガイド口の構造に関する。
【０００２】
【従来の技術】
実開平７−２５６０６号公報においては、携帯電話器の外囲器内に格納されているロッドアンテナを同外囲器に設けられているロッドアンテナガイド口を通し引き出した際に、ロッドアンテナ下端部を偏心孔により片寄せして、ロッドアンテナを傾斜せしめるようにしている。
【０００３】
又上記ロッドアンテナガイド口内に導電性バネ筒を保有させ、該バネ筒の割り溝間に形成された弾性接触片中の一側片の下縁部を上記傾いて引き出されたロッドアンテナ下端部の一側面に弾性的に加圧接触させ、ロッドアンテナと配線回路基板との電気的接続を図ると共に、該加圧接触に伴う弾性接触片の弾性変位により上記ロッドアンテナの傾きを許容する構成としている。
【０００４】
又上記従来例の原理は図１に示すように、上記ロッドアンテナ下端部を片寄せするための偏心孔（真円孔）Ｓ２と、バネ筒が形成する真円孔Ｓ１とを位置をずらして配置し、即ち二つの真円孔Ｓ１，Ｓ２を偏心して配置し、この偏心量Ｗ１にて上記片寄せ量を設定している。
【０００５】
【発明が解決しようとする課題】
然るに従来例においては、上記の通りバネ筒が保有する円弧形弾性接触片中の一側片の下縁を傾いて引き出されたロッドアンテナ下端部の一側面に弾性的に加圧接触させる構成であるため接触の信頼性に劣りロッドアンテナ引き出しに伴うロッドアンテナと配線回路基板との接続を不安定にし、加えてロッドアンテナの引き出し操作に円滑性を欠く。
【０００６】
又従来例の如く、二つの真円孔Ｓ１，Ｓ２を偏心して配置し、この偏心量Ｗ１にて上記片寄せ量を設定する構造ではロッドアンテナを垂直に格納する必要上、即ち真円孔Ｓ１に対する真円孔Ｓ２の偏心量を多くするとロッドアンテナを垂直に格納することが困難になるため、上記偏心量Ｗ１を充分に確保し難く、従ってロッドアンテナの傾斜角度を充分に確保し難い問題点を有している。
【０００７】
【課題を解決するための手段】
本発明は、上記各問題点を適切に解決する携帯電話器におけるロッドアンテナガイド口の構造を提供することを目的としている。
【０００８】
この携帯電話器におけるロッドアンテナを傾斜して引き出すためのロッドアンテナガイド口の構造は、ロッドアンテナを通挿する上部筒孔と下部筒孔を有し、下部筒孔にてロッドアンテナの下端部一側面を押圧して片寄せする場合に、上記上部筒孔を形成する周方向に間隔を置いて複数の溝を形成して複数の弾性接触片に分割した導電性バネ筒を有し、該導電性バネ筒の外周面には導電性バネ筒に追随して弾性変位（拡径と縮径）する補助割りバネ筒を外嵌めすると共に、該複数条の割り溝によって分割された複数の弾性接触片の内面に導電性バネ筒の内径を制限する接触用突部を形成して環状に配し、該接触用突部にて画成する内接円の直径を上記ロッドアンテナ下端部の直径より小径にすると共に、該接触用突部の頂部下面を下端へ向け拡径する傾斜面にし、直立状態に収納されたロッドアンテナの上部接触ロッド部の外周面に上記各接触用突部が環状に加圧接触して上記ロッドアンテナと配線回路基板との電気的接触を図り、更に斜めに引き出されたロッドアンテナの下部接触ロッド部の外周面に上記接触用突部が環状に加圧接触すると共に上記傾斜面が傾斜して引き出されたロッドアンテナの下部接触ロッド部の一側面に接触して上記ロッドアンテナと配線回路基板との電気的接続を図る。
【０００９】
同時に該加圧接触に伴う上記ロッドアンテナ下端部外側面による上記接触用突部の押圧により弾性接触片を弾性変位せしめ上記ロッドアンテナの傾きを許容する構成とした。
【００１０】
上記導電性バネ筒内径を制限する接触用突部によりロッドアンテナの下端部外周面と導電性バネ筒との電気的接触の信頼性が確保され、配線回路基板とロッドアンテナとの接続の信頼性を確保する。加えてロッドアンテナの傾き引き出しを円滑にする。
【００１１】
【発明の実施の形態】
本発明は、携帯電話器におけるロッドアンテナ１を傾斜して引き出すためのロッドアンテナガイド口２の構造に関する。
【００１２】
図５，図６に示すように、上記ロッドアンテナ１は上端にコイルを収納した大径のアンテナヘッド１ａを有し、下端に環状に張り出した大径のストッパー１ｂを有し、更にロッドアンテナ１上端のアンテナヘッド１ａ直下に導電金属製の上部接触ロッド部１ｃを有すると共に、同アンテナ下端のストッパー１ｂの直上に導電金属製の下部接触ロッド部１ｄを有する。該上下ロッド部１ｃ、１ｄはロッドアンテナ１の上端部と下端部に外挿し、圧着した金属スリーブにて形成する。
【００１３】
上記アンテナガイド口２は上記ロッドアンテナ１を通挿する上部筒孔３と下部筒孔４を有し、下部筒孔４はロッドアンテナ１が引き出されたときにロッドアンテナ１の下端部一側面を押圧して片寄せする手段を形成しており、該下部筒孔４の片寄せ作用にて上記上部筒孔３を通し外部へ引き出すロッドアンテナ１を傾かせる。
【００１４】
図７，図８，図３等に示すように、上記上部筒孔３は導電性バネ筒６によって形成され、該導電性バネ筒６には周方向に間隔をおいて複数条の割り溝５を形成し、該割り溝５によって分割された弾性接触片７の内面に導電性バネ筒６の内径を制限する加圧接触用突部８を形成する。
【００１５】
上記加圧接触用突部８を上記傾斜して引き出されたロッドアンテナ１の下端部外側面に弾力的に加圧接触して上記ロッドアンテナ１と配線回路基板（図示を省略する）との電気的接続を図ると共に、該加圧接触に伴う上記ロッドアンテナ１下端部外側面による上記接触用突部８の押圧により弾性接触片７を弾性変位せしめ上記ロッドアンテナ１の傾きを許容する構成とする。
【００１６】
上記割り溝５はバネ筒６の軸線方向に延び下端が開放されており、図３に示すように、上記各弾性接触片７の内面に突成された上記接触用突部８は各弾性接触片７の内面に沿い周方向に延在して環状に配されたリブにて形成し、該突部８にて画成する内接円の直径Ｒ１を上記ロッドアンテナ下端部及び上端部（下部接触ロッド部１ｄ及び上部接触ロッド部１ｃ）の直径Ｒ２より小径にする。
【００１７】
図４等に示すように、上記接触用突部８の頂部下面は下端へ向け拡径する傾斜面１６にする。即ち上部筒孔３の下端部は下端へ向け拡径する傾斜面１６にし、該傾斜面１６の上端に上記接触用突部８の頂部を形成する。
【００１８】
図６に示すように、上記傾斜面１６は、傾斜して引き出されたロッドアンテナ下端部（下部接触ロッド部１ｄ）の一側面に同調した傾斜角を以て接触する。
【００１９】
上記環状に配置された各弾性接触片７はその弾力に抗し拡開可能であり、同弾力に従い縮閉可能である。図５に示すように、ロッドアンテナ１はこの各弾性接触片７を弾性に抗し拡開しつつ直立状態に収納され、上部接触ロッド部１ｃの外周面に該環状に配置された各接触用突部８が環状に加圧接触する。
【００２０】
同様に図６に示すように、斜めに引き出されたロッドアンテナ１の下端部（下部接触ロッド部１ｄ）の外周面に環状に配置された各接触用突部８が環状に加圧接触しつつ、弾性接触片７を外方へ弾性変位し、ロッドアンテナ１の傾斜引き出しを許容する。
【００２１】
上記ロッドアンテナガイド口２は携帯用電話器の外囲器９の形成壁に取り付けた内筒１０と外筒１１によって形成する。該外筒１１と内筒１０の夫々は全体を導電金属にて一体加工する。
【００２２】
上記外筒１１はその上半部に上記電話器の外囲器９形成壁に埋め込み取り付けされる取り付け筒部１２と、その下半部にこの取り付け用筒部１２下端に連設され外囲器９形成壁の内面から外囲器９内方へ突設されたロッドアンテナ片寄せ用筒部１３とを備え、該ロッドアンテナ片寄せ用筒部１３の筒孔にて前記した上記下部筒孔４を形成する。この筒部１３の下端にアンテナ収納チューブ１８の上端を外挿し、外囲器９内に垂直に延在せしめる。
【００２３】
他方図５，図８等に示すように、上記内筒１０の上半部には外周面に雄ねじを形成し上端に螺合深さを設定するフランジ１４′を設けた、上記外筒１１の取り付け筒部１２に螺合される螺合筒部１４と、同下半部には該螺合筒部１４の下端に同一軸線となるように一体に連設された前記した導電性バネ筒６を有し、この螺合筒部１４と導電性バネ筒６の筒孔にて前記した上部筒孔３を形成する。この上部筒孔３を形成する導電性バネ筒６が弾性接触片７と加圧接触用突部８を形成することは前記した通りである。
【００２４】
上記上部筒孔３の上端は、外方へ向け拡径するテーパー孔にし、該テーパー孔１５の収斂せる下端に導電性バネ筒６の筒孔を連成する。該テーパー孔１５は螺合筒部１４の筒孔にて形成する。従って下部筒孔４によって片寄せられたロッドアンテナ１はテーパー孔１５の内周面に沿い斜めに引き出される。
【００２５】
図５，図８等に示すように、上記導電性バネ筒６の外周面には補助割りバネ筒１７を外嵌めし、上記弾性接触片７の弾性を補完する。よって補助割りバネ筒１７は、導電性バネ筒６に追随して弾性変位（拡径と縮径）する。
【００２６】
図２Ａ、Ｂに示すように、上記下部筒孔４は大径円弧形筒孔部Ｓ３と小径円弧形筒孔部Ｓ３′を有し、図２Ａ、図６に示すように、ロッドアンテナ１の傾斜引き出し時に、該大径円弧形筒孔部Ｓ３と小径円弧形筒孔部Ｓ３′の一対の連設角部Ｐが上記ロッドアンテナ１下端の大径部（ストッパー１ｂ）の一側面を押圧して上記大径円弧形筒孔部Ｓ３内へ逃がす片寄せ手段を形成している。よって上記大径円弧形筒孔部Ｓ３の偏心量Ｗ２を大幅に増大してロッドアンテナ１の傾斜引き出し角度を十分に確保する。
【００２７】
この時、大径部（ストッパー１ｂ）の大部分は大径円弧形筒孔部Ｓ３内へ収容され、その一部が小径円弧形筒孔部Ｓ３′内へ受容される。
【００２８】
又図２Ｂ、図５に示すように、上記ロッドアンテナ１を携帯電話器の外囲器９内へ収納したときにロッドアンテナ１の上端部（上部接触ロッド部１ｃ）を上記小径円弧形筒孔部Ｓ３′内へ収容し垂直収納を許容する。即ちロッドアンテナ１の片半円部が上記小径円弧形筒孔部Ｓ３′内へ収容され、他の片半円部が上記大径円弧形筒孔部Ｓ３内へ収容される。
【００２９】
上記大径円弧形筒孔部Ｓ３はＯ１を中心とする円弧であり、半円弧より大きな大円弧にする。他方上記小径円弧形筒孔部Ｓ３′はＯ２を中心とする円弧であり、半円弧より小さな小円弧にし、該大円弧と小円弧の連設点に上記片寄せ手段となる一対の角部Ｐを形成する。
【００３０】
【発明の効果】
本発明の携帯電話器におけるロッドアンテナガイド口の構造によれば、ロッドアンテナの傾斜引き出し時における電気的接触の信頼性が確保され、又引き出し操作が円滑に行える。加えてロッドアンテナの引き出し時における傾斜角度が充分に確保され、人体への電磁波障害の抑制に資すると共に、ロッドアンテナを適切に垂直収納することができる。
【図面の簡単な説明】
【図１】従来のロッドアンテナの片寄せ手段を形成する偏心孔の原理を説明する平面図。
【図２】Ａ，Ｂは本発明に係るロッドアンテナの片寄せ手段を形成する下部筒孔の原理を説明する平面図であり、Ａは同アンテナの傾斜引き出し時を、Ｂは同収納時を示す。
【図３】導電性バネ筒の加圧接触用突部の配置とロッドアンテナの関係を示す底面図。
【図４】上記導電性バネ等の弾性接触片を示す斜視図。
【図５】上記ロッドアンテナの垂直収納状態を示す携帯電話器のアンテナガイド口部の断面図。
【図６】上記ロッドアンテナの傾斜引き出し状態を示す携帯電話器のアンテナガイド口部の断面図。
【図７】Ａは上部筒孔を形成する内筒をその右半部を断面して示す側面図。Ｂは同底面図。
【図８】上記内筒のバネ筒部に補助割りバネ筒を外挿した状態を示す断面図。
【符号の説明】
１      ロッドアンテナ
１ａ    アンテナヘッド
１ｂ    ストッパー
１ｃ    上部接触ロッド部
１ｄ    下部接触ロッド部
２      ロッドアンテナガイド口
３      上部筒孔
４      下部筒孔
５      割り溝
６      導電性バネ筒
７      弾性接触片
８      加圧接触用突部
９      外囲器
１０    内筒
１１    外筒
１２    取り付け筒部
１３    アンテナ片寄せ筒
１４    螺合筒部
１４′  フランジ
１５    テーパー孔
１６    傾斜面
１７    補助割りバネ筒
１８    アンテナ収納チューブ
Ｓ３    大径円弧形筒孔部
Ｓ３′  小径円弧形筒孔部
Ｐ      連設角部
【図１】
0003617832.tif 000002
【図２】
0003617832.tif 000003
【図３】
0003617832.tif 000004
【図４】
0003617832.tif 000005
【図５】
0003617832.tif 000006
【図６】
0003617832.tif 000007
【図７】
0003617832.tif 000008
【図８】
0003617832.tif 000009